【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
ディスクカートリッジから引き出されて引き込まれる引込方向又は排出されてディスクカートリッジに収納される排出方向へ中心軸方向に直交する方向において搬送されるディスク状記録媒体によって押圧されて回動されるルートアジャスターを備え、
前記ルートアジャスターに前記ディスク状記録媒体の搬送時に前記ディスク状記録媒体の外周部が挿入されて前記ディスク状記録媒体の位置決めを行う位置決め溝が形成された
ディスク搬送装置。
【請求項２】
前記ディスクカートリッジに複数の前記ディスク状記録媒体がそれぞれ収納可能な複数の保持溝が前記ディスク状記録媒体の中心軸方向に並んで形成され、
前記ルートアジャスターに、前記ディスク状記録媒体が前記排出方向へ搬送されて回動されたときに前記ディスク状記録媒体が挿入される保持溝と異なる保持溝に挿入されて前記ルートアジャスターの前記ディスクカートリッジに対する位置決めを行う位置決め用突部を設けた
請求項１に記載のディスク搬送装置。
【請求項３】
前記ルートアジャスターの位置決め用突部が、前記保持溝を形成する面に押し付けられるようにした
請求項２に記載のディスク搬送装置。
【請求項４】
前記位置決め用突部に、前記ルートアジャスターの回動時に前記保持溝を形成する面に摺動され前記摺動される面に対して傾斜された被案内面を形成した
請求項３に記載のディスク搬送装置。
【請求項５】
前記ルートアジャスターが中立位置を基準として反対方向へ回動可能とされ、
前記位置決め溝が前記ルートアジャスターの外周面に二つ形成され、
前記ディスク状記録媒体の前記引込方向への搬送時に前記ルートアジャスターが中立位置を基準として一方へ回動されて前記ディスク状記録媒体の外周部が一方の前記位置決め溝に挿入され、
前記ディスク状記録媒体の前記排出方向への搬送時に前記ルートアジャスターが中立位置を基準として他方へ回動されて前記ディスク状記録媒体の外周部が他方の前記位置決め溝に挿入されるようにした
請求項１乃至請求項４の何れかに記載のディスク搬送装置。
【請求項６】
前記ルートアジャスターが前記中立位置を基準として一方及び他方へ回動されたときに前記ルートアジャスターを前記中立位置まで回動させる戻しバネを設けた
請求項５に記載のディスク搬送装置。
【請求項７】
前記位置決め溝に前記ディスク状記録媒体を案内する案内面を形成した
請求項１乃至請求項６の何れかに記載のディスク搬送装置。
【請求項８】
ディスク状記録媒体の搬送方向に延び搬送される前記ディスク状記録媒体を挟んで反対側に位置される一対のレールと、
前記一対のレールに回動可能に連結されて前記一対のレールを前記ディスク状記録媒体の外周面に離接する方向へ平行移動させる複数のリンクアームと、
少なくとも一方の前記レールに回動自在に支持され回動されることにより前記ルートアジャスターによって位置決めされた前記ディスク状記録媒体の外周面を押圧して前記ディスク状記録媒体を前記ディスクカートリッジに収納する排出レバーとを設け、
前記複数のリンクアームの少なくとも一つに引掛部を設け、
前記ルートアジャスターに前記引掛部に係合可能な係合部を設け、
前記ディスク状記録媒体が前記ディスクカートリッジに収納され前記排出レバーが前記ディスク状記録媒体を押圧する方向と反対方向へ回動されたときに前記リンクアームが前記排出レバーと同じ方向へ回動され、
前記位置決め用突部が前記保持溝に挿入された状態において前記排出レバーが前記反対方向へ回動されて前記リンクアームが前記排出レバーと同じ方向へ回動されたときに前記引掛部が前記係合部に係合可能とされ、
前記引掛部が前記係合部に係合したときに前記ルートアジャスターが前記リンクアームの回動動作に伴って前記中立位置へ向けて回動されるようにした
請求項２乃至請求項４の何れかに記載のディスク搬送装置。
【請求項９】
前記排出レバーが前記ルートアジャスターと同じ方向へ回動可能とされ、
前記ルートアジャスターの回動中心と前記排出レバーの回動中心とが前記回動中心に直交する方向において異なる位置に存在し、
前記排出レバーの前記反対方向への回動時に係合された前記引掛部と前記係合部が摺動され前記排出レバーと前記ルートアジャスターが所定の位置に回動されたときに前記引掛部と前記係合部の係合が解除されるようにした
請求項８に記載のディスク搬送装置。
【手続補正２】
【補正対象書類名】明細書
【補正対象項目名】０１１５
【補正方法】変更
【補正の内容】
【０１１５】
ベースシャーシ４０の前端部における右端部には第２の伝達ギヤ６１と第３の伝達ギヤ６２が噛合された状態で支持されている。
【手続補正３】
【補正対象書類名】明細書
【補正対象項目名】０１１６
【補正方法】変更
【補正の内容】
【０１１６】
第２の伝達ギヤ６１はギヤ支持プレート５８の回動位置によって切換ギヤ６０と噛合され又は噛合が解除される。第３の伝達ギヤ６２はベースシャーシ４０の右前の角部に支持されている。
【手続補正４】
【補正対象書類名】明細書
【補正対象項目名】０１１８
【補正方法】変更
【補正の内容】
【０１１８】
＜プーリーホルダー及びチャッキングプーリー＞
ベースシャーシ４０の配置用凹部５０には第１のプーリーホルダー６３と第２のプーリーホルダー６４が配置されている（図８及び図９参照）。
【手続補正５】
【補正対象書類名】明細書
【補正対象項目名】０２５１
【補正方法】変更
【補正の内容】
【０２５１】
ディスク状記録媒体２００は外周面が駆動ローラー１２８と固定ローラー１０７に接触される。このときディスク状記録媒体２００の挿入に基づくセンサー基板５３に搭載されたセンサー５３ａの検出動作によって駆動モーター５２が回転される。駆動モーター５２が回転されると、その駆動力が順にウォーム５４、ウォームギヤ５５及び伝達ギヤ群５６を介して駆動ギヤ５７に伝達され、駆動ギヤ５７が伝達ギヤ群５６によって減速されて回転される。また、駆動モーター５２の駆動力は順にウォーム５４、ウォームギヤ５５、第１の伝達ギヤ５９、切換ギヤ６０、第２の伝達ギヤ６１、第３の伝達ギヤ６２、二段ギヤ１２５、送りギヤ１２６及び送りギヤ１２７に伝達されて駆動ローラー１２８が回転される。このとき駆動モーター５２の駆動力は送りギヤ１２６から平ギヤ１２９、１２９、・・・を介して回転ローラー１３０にも伝達され、回転ローラー１３０が駆動ローラー１２８と同期して同じ方向へ回転される。
【手続補正６】
【補正対象書類名】明細書
【補正対象項目名】０２８５
【補正方法】変更
【補正の内容】
【０２８５】
このとき第２のメインスライダー８５の後方への移動により、ギヤ支持プレート５８の摺動ピン５８ｃが第２のメインスライダー８５のカム摺動孔８９の後側摺動部８９ａから傾斜摺動部８９ｂを経て前側摺動部８９ｃまで移動される。従って、ギヤ支持プレート５８が平面で見て反時計回り方向へ回動され、切換ギヤ６０が移動されて切換ギヤ６０と第２の伝達ギヤ６１との噛合が解除され、駆動ローラー１２８と回転ローラー１３０の回転が停止される。
【手続補正７】
【補正対象書類名】明細書
【補正対象項目名】０３０３
【補正方法】変更
【補正の内容】
【０３０３】
第１のメインスライダー７３及び第２のメインスライダー８５が前方へ移動されるため、リミットレバー１１８の被作用軸１１８ｂが第１のメインスライダー７３のカム孔７６における第２の直線部７６ｄから傾斜部７６ｃ及び第１の直線部７６ｂを経て待機部７６ａの左端寄りの位置まで移動される。また、第２のレール１２３の被作用軸１２３ａが第２のメインスライダー８５のカム孔８８における第２の直線部８８ｄから傾斜部８８ｃ及び第１の直線部８８ｂを経て待機部８８ａまで移動される。このときギヤ支持プレート５８の摺動ピン５８ｃが第２のメインスライダー８５のカム摺動孔８９の前側摺動部８９ｃから傾斜摺動部８９ｂを経て後側摺動部８９ａまで移動され、切換ギヤ６０と第２の伝達ギヤ６１が再び噛合される。
【手続補正８】
【補正対象書類名】明細書
【補正対象項目名】０３７３
【補正方法】変更
【補正の内容】
【０３７３】
（８）ディスク状記録媒体の搬送方向に延び搬送される前記ディスク状記録媒体を挟んで反対側に位置される一対のレールと、前記一対のレールに回動可能に連結されて前記一対のレールを前記ディスク状記録媒体の外周面に離接する方向へ平行移動させる複数のリンクアームと、少なくとも一方の前記レールに回動自在に支持され回動されることにより前記ルートアジャスターによって位置決めされた前記ディスク状記録媒体の外周面を押圧して前記ディスク状記録媒体を前記ディスクカートリッジに収納する排出レバーとを設け、前記複数のリンクアームの少なくとも一つに引掛部を設け、前記ルートアジャスターに前記引掛部に係合可能な係合部を設け、前記ディスク状記録媒体が前記ディスクカートリッジに収納され前記排出レバーが前記ディスク状記録媒体を押圧する方向と反対方向へ回動されたときに前記リンクアームが前記排出レバーと同じ方向へ回動され、前記位置決め用突部が前記保持溝に挿入された状態において前記排出レバーが前記反対方向へ回動されて前記リンクアームが前記排出レバーと同じ方向へ回動されたときに前記引掛部が前記係合部に係合可能とされ、前記引掛部が前記係合部に係合したときに前記ルートアジャスターが前記リンクアームの回動動作に伴って前記中立位置へ向けて回動されるようにした前記（２）から前記（４）の何れかに記載のディスク搬送装置。